(57)【要約】【課題】発表者が、画像表示装置に表示される画像を携帯端末装置で遠隔操作可能な操作システム、画像表示装置及びその制御方法を提供する。【解決手段】操作システム１００は、表示パネルを有する携帯端末装置３００、４００と、画像を表示する表示部、各表示パネルの表示仕様に応じたユーザインターフェイスを生成するためのデータを各携帯端末装置３００、４００に送信する送信部、及び、表示部に表示された画像に対する処理を実行する処理部を備えた画像表示装置２００とを含み、各携帯端末装置３００、４００は、受信したデータからユーザインターフェイスを生成してユーザに提供し、ユーザによる操作に関する情報を、処理を実行させるための情報として画像表示装置２００に送信する。これにより、プレゼンテーション時に発表者は、表示される画像を、携帯端末装置の操作画面のアイコンを用いて適切に遠隔操作することが可能となる。【選択図】図１
2013134387.tif 000002
【特許請求の範囲】
【請求項１】
画像を表示する表示手段と、
画像を表示する表示パネルを有する携帯端末装置の前記表示パネルの表示仕様に応じたユーザインターフェイスを生成するためのデータを、前記携帯端末装置に送信する送信手段と、
前記表示手段に表示された画像に対する処理を実行する処理手段と、
前記処理手段に前記処理を実行させるための情報を前記携帯端末装置から受信する受信手段とを備え、
前記処理を実行させるための情報は、前記データが前記携帯端末装置によって処理されることによってユーザに提供される前記ユーザインターフェイスを介した前記ユーザの操作に関する情報であることを特徴とする画像表示装置。
【請求項２】
前記ユーザインターフェイスを生成するためのデータは、前記携帯端末装置によって処理されることによって、部分画像を含む、前記表示パネルに表示される画面が生成されるデータであり、
前記送信手段は、複数の携帯端末装置の各々に、各々の前記表示仕様に応じた前記ユーザインターフェイスを生成するためのデータを送信し、
前記処理手段は、複数の前記携帯端末装置の各々の前記表示パネルに表示される前記画面に含まれる部分画像が選択されたことを表す情報に応じて、選択された当該部分画像に対応する処理を、前記表示手段に表示された画像に対して実行することを特徴とする請求項１に記載の画像表示装置。
【請求項３】
複数の前記携帯端末装置の各々の表示パネルに表示される前記画面は、相互に異なる部分画像を含むことを特徴とする請求項２に記載の画像表示装置。
【請求項４】
前記表示仕様は、前記携帯端末装置の表示画面の大きさ、表示解像度、及び表示色数のうちの何れかであることを特徴とする請求項１から３の何れか１項に記載の画像表示装置。
【請求項５】
画像を表示する表示パネルを有する携帯端末装置と、
画像を表示する表示手段、携帯端末装置の前記表示パネルの表示仕様に応じたユーザインターフェイスを生成するためのデータを前記携帯端末装置に送信する送信手段、前記表示手段に表示された画像に対する処理を実行する処理手段、及び、前記処理手段に前記処理を実行させるための情報を前記携帯端末装置から受信する受信手段を備えた画像表示装置とを含み、
前記携帯端末装置は、受信した前記データから前記ユーザインターフェイスを生成して、ユーザに提供し、前記ユーザインターフェイスを介した当該ユーザの操作に関する情報を、前記処理を実行させるための情報として、前記受信手段に送信することを特徴とする表示画像の操作システム。
【請求項６】
画像を表示する表示手段と、
データの送受信手段と、
前記表示手段に表示された画像に対する処理を実行する処理手段とを備えた画像表示装置の制御方法であって、
画像を表示する表示パネルを有する携帯端末装置から、前記送受信手段により、前記表示パネルの表示仕様に関する情報を取得するステップと、
取得した前記表示仕様に関する情報に応じたユーザインターフェイスを生成するためのデータを、前記送受信手段により、前記携帯端末装置に送信するステップと、
前記表示手段に画像を表示するステップと、
前記携帯端末装置によって前記データから生成される前記ユーザインターフェイスを介したユーザの操作に関する情報を、前記携帯端末装置から前記送受信手段により取得するステップと、
前記ユーザの操作に関する情報に対応する処理を、前記表示手段に表示された画像に対して、前記処理手段により実行するステップとを含むことを特徴とする画像表示装置の制御方法。
【発明の詳細な説明】
【技術分野】
【０００１】
本発明は、プレゼンテーション等において使用され、画像表示装置に表示される画像に対する操作を行なうシステムに関し、特に、指定した携帯端末装置で遠隔操作可能な、表示画像の操作システム、それを構成する画像表示装置、及びその制御方法に関する。
【背景技術】
【０００２】
近年、タッチ描画画像表示装置の１つである、会議等で用いられる電子黒板として、様々な構成のものが実用化されている。特に、大型の表示画面を有する画像表示装置と、タッチパネル等の２次元における位置座標を検知する入力装置とを組合せ、コンピュータシステムとして構成された電子黒板装置が利用されている。大型の電子黒板装置は、プレゼンテーション等にも使用されている。
【０００３】
一般的に、電子黒板装置は、ペン等によって指定される位置座標及び移動量の情報を逐次読取り、読取った情報を元に入力の軌跡を画像表示装置に表示する。これによって、電子黒板装置は手書き入力等の、電子黒板としての動作を実現している。
【０００４】
大型の電子黒板装置を用いて、会議又はプレゼンテーションを行なう場合、発表者は、表示内容に対して何らかの操作（文字の書込み等）をするときには、表示画面の方を向いて行なう。これは、聴衆に背中を向けることになり、好ましくない。そこで、別の端末装置を用いて表示内容に対する操作を遠隔操作によって行なうことが考えられる。
【０００５】
遠隔操作に関しては、例えば、下記特許文献１に、ＰＨＳ端末を用いて家電製品、照明装置、自動車等を遠隔操作するシステムが開示されている。このシステムでは、ＰＨＳ端末が、各種電気製品に装備された送受信制御装置と無線通信し、各電気製品側から送信された操作メニューをＰＨＳ端末の画面に表示する。ユーザは、ＰＨＳ端末の表示メニューを操作して電気製品を遠隔操作する。
【０００６】
また、下記特許文献２には、インターネット経由で取得した電子データを表示できるネットワークプロジェクタ装置を、インターネット経由で遠隔操作する技術が開示されている。このプロジェクタ装置はＷｅｂページを提供するＷｅｂサーバを備えており、このプロジェクタ装置を操作するための操作画面データを操作用情報機器に送信する。ユーザは、操作用情報機器のＷｅｂブラウザによって表示される画面上で操作することによって、プロジェクタ装置を遠隔操作する。
【先行技術文献】
【特許文献】
【０００７】
【特許文献１】特開２０００−７８３０２号公報
【特許文献２】特開２００２−２４７５３９号公報
【発明の概要】
【発明が解決しようとする課題】
【０００８】
しかし、上記特許文献１に開示されたシステムでは、遠隔操作装置であるＰＨＳの表示画面が小さいので、可能な操作が限定され、操作が難しい問題がある。近年普及しているスマートフォン等は表示解像度が向上しているが、表示画面が小さいので、同様の問題がある。また、上記特許文献１及び２によっては、プレゼンテーション画面に直接書込みを行なうことができない問題がある。
【０００９】
さらに、実際のプレゼンテーション又は会議等においては、発表者が着座して説明する場合、演壇上を移動しながら説明する場合、表示画面の近くまで行なって説明する場合等、発表形式には種々のタイプがある。１つのプレゼンテーション中に、着座と移動とを頻繁に繰返す発表者もいる。上記特許文献１及び２に開示された技術は、これらに適切に対応することもできない。
【００１０】
これは、電子黒板装置に限らず、プロジェクタ装置、マルチディスプレイ装置等の大型の画像表示装置を用いてプレゼンテーション又は会議等を行なう場合に共通して生じる問題である。
【００１１】
したがって、本発明は、プレゼンテーション等で使用され、画像表示装置に表示される画像を、発表者の発表形式等に応じて適切に携帯端末装置で遠隔操作することが可能な、表示画像の操作システム、それを構成する画像表示装置、及びその制御方法を提供することを目的とする。
【課題を解決するための手段】
【００１２】
上記の目的は、下記によって達成することができる。
【００１３】
即ち、本発明の第１の局面に係る画像表示装置は、画像を表示する表示部と、画像を表示する表示パネルを有する携帯端末装置の表示パネルの表示仕様に応じたユーザインターフェイスを生成するためのデータを、携帯端末装置に送信する送信部と、表示部に表示された画像に対する処理を実行する処理部と、処理部に処理を実行させるための情報を携帯端末装置から受信する受信部とを備え、処理を実行させるための情報は、データが携帯端末装置によって処理されることによってユーザに提供されるユーザインターフェイスを介したユーザの操作に関する情報である。
【００１４】
好ましくは、ユーザインターフェイスを生成するためのデータは、携帯端末装置によって処理されることによって、部分画像を含む、表示パネルに表示される画面が生成されるデータであり、送信部は、複数の携帯端末装置の各々に、各々の表示仕様に応じたユーザインターフェイスを生成するためのデータを送信し、処理部は、複数の携帯端末装置の各々の表示パネルに表示される画面に含まれる部分画像が選択されたことを表す情報に応じて、選択された当該部分画像に対応する処理を、表示部に表示された画像に対して実行する。
【００１５】
より好ましくは、複数の携帯端末装置の各々の表示パネルに表示される画面は、相互に異なる部分画像を含む。
【００１６】
好ましくは、表示仕様は、携帯端末装置の表示画面の大きさ、表示解像度、及び表示色数のうちの何れかである。
【００１７】
本発明の第２の局面に係る表示画像の操作システムは、画像を表示する表示パネルを有する携帯端末装置と、画像を表示する表示部、携帯端末装置の表示パネルの表示仕様に応じたユーザインターフェイスを生成するためのデータを携帯端末装置に送信する送信部、表示部に表示された画像に対する処理を実行する処理部、及び、処理部に処理を実行させるための情報を携帯端末装置から受信する受信部を備えた画像表示装置とを含み、携帯端末装置は、受信したデータからユーザインターフェイスを生成して、ユーザに提供し、ユーザインターフェイスを介した当該ユーザの操作に関する情報を、処理を実行させるための情報として、受信部に送信する。
【００１８】
本発明の第３の局面に係る制御方法は、画像を表示する表示部と、データの送受信部と、表示部に表示された画像に対する処理を実行する処理部とを備えた画像表示装置の制御方法であって、画像を表示する表示パネルを有する携帯端末装置から、送受信部により、表示パネルの表示仕様に関する情報を取得するステップと、取得した表示仕様に関する情報に応じたユーザインターフェイスを生成するためのデータを、送受信部により、携帯端末装置に送信するステップと、表示部に画像を表示するステップと、携帯端末装置によってデータから生成されるユーザインターフェイスを介したユーザの操作に関する情報を、携帯端末装置から送受信部により取得するステップと、ユーザの操作に関する情報に対応する処理を、表示部に表示された画像に対して、処理部により実行するステップとを含む。
【発明の効果】
【００１９】
本発明によれば、プレゼンテーション又は会議等において、画像表示装置に表示される画像を、携帯端末装置によって提要されるユーザインターフェイスを用いて適切に遠隔操作することが可能となる。
【００２０】
また、予め端末装置に操作用のアプリケーションをインストールする必要がない。したがって、そのような手間を省くことができ、個人所有の携帯端末装置を速やかに利用することができ、アプリケーションをインストールするための記憶領域を確保する必要もない。
【００２１】
操作に使用される複数台の携帯端末装置の各々に、表示仕様（携帯端末装置の表示画面の大きさ、表示解像度、及び表示色数等）に応じて、異なる部分画像（操作用アイコン）を含む操作画面を表示することによって、発表者が適宜端末装置を選択して、効率的に発表を行なうことができる。例えば、操作に使用する携帯端末装置の１台を、主催者が用意したタブレット装置とし、これに加えて発表者が所有するスマートフォンを使用可能にすることによって、発表者は使い慣れたスマートフォンを用いて容易に操作を行なうことができる。
【００２２】
また、２台の携帯端末装置の一方の携帯端末装置で指示した操作の結果を、画像表示装置に表示するとともに、他方の携帯端末装置にも表示することにより、他方の携帯端末装置上での操作が容易になる。
【００２３】
また、使用可能な携帯端末装置を自動的に検索することによって、操作に使用する携帯端末装置の指定を容易に行なうことができる。
【図面の簡単な説明】
【００２４】
【図１】本発明の実施の形態に係る表示画像の操作システムの構成を示すブロック図である。
【図２】本発明の実施の形態に係る表示画像の操作システムを構成する画像表示装置の概略構成を示すブロック図である。
【図３】本発明の実施の形態に係る表示画像の操作システムを構成する画像表示装置の表示画面例を示す図である。
【図４】本発明の実施の形態に係る表示画像の操作システムを構成する第１端末装置の概略構成を示すブロック図である。
【図５】本発明の実施の形態に係る表示画像の操作システムを構成する第２端末装置の概略構成を示すブロック図である。
【図６】画像表示装置の表示内容を端末装置で操作することを可能にするためのプログラムの制御構造を示すフローチャートである。
【図７】本発明の実施の形態に係る表示画像の操作システムを構成する画像表示装置において、検索された端末装置を表示する画面例を示す図である。
【図８】第１端末装置の表示画面例を示す図である。
【図９】第２端末装置の表示画面例を示す図である。
【図１０】第１及び第２端末装置を使用する場合における第１端末装置の表示画面例を示す図である。
【図１１】第１及び第２端末装置を使用する場合における第１端末装置の表示画面例を示す図である。
【図１２】第１及び第２端末装置を使用する場合における第１端末装置の表示画面例を示す図である。
【図１３】第１端末装置のみを使用する場合における第１端末装置の表示画面例を示す図である。
【図１４】第１及び第２端末装置を使用する場合における第２端末装置の表示画面例を示す図である。
【図１５】第１及び第２端末装置を使用する場合における第１端末装置の表示画面例を示す図である。
【図１６】図１とは別のシステム構成を示すブロック図である。
【図１７】図１６のシステム構成において使用される第２端末装置の表示画面例を示す図である。
【図１８】画像表示装置の表示内容を端末装置で操作することを可能にするためのプログラムの、図６とは別の制御構造を示すフローチャートである。
【図１９】第２端末装置の表示画面例を示す図である。
【図２０】第２端末装置の表示画面例を示す図である。
【図２１】第２端末装置に入力された音声内容に対応する文字が画像表示装置に表示された状態を示す図である。
【発明を実施するための形態】
【００２５】
以下の実施の形態では、同一の部品には同一の参照番号を付してある。それらの名称及び機能も同一である。したがって、それらについての詳細な説明は繰返さない。
【００２６】
図１を参照して、本発明の実施の形態に係る表示画像の操作システム１００は、画像表示装置２００、第１端末装置３００、第２端末装置４００、無線ルータ５００を備えて構成される。画像表示装置２００及び無線ルータ５００は、有線でネットワーク５１０に接続されている。画像表示装置２００は、例えば、タッチ操作によって描画可能な大画面の電子黒板装置である。第１端末装置３００及び第２端末装置４００は携帯端末装置である。第１端末装置３００は、例えば１０インチ程度の表示画面を有するタブレット装置である。第２端末装置４００は、例えば、タブレット装置よりもサイズの小さい（数インチ程度）表示画面を有するスマートフォンである。無線ルータ５００は、ＴＣＰ／ＩＰ等の所定の通信プロトコルにしたがって、無線通信可能な機器をネットワーク５１０（ＬＡＮ及びインターネットを含む）に接続するための装置である。第１端末装置３００及び第２端末装置４００は、無線ルータ５００を介してネットワーク５１０にアクセスすることができる。
【００２７】
なお、図１には示していないが、表示画像の操作システム１００の周囲には、第１端末装置３００及び第２端末装置４００以外の無線通信可能な端末装置が存在している場合がある。
【００２８】
図２を参照して、画像表示装置２００は、画像表示装置２００全体を制御する制御部（以下、ＣＰＵという）２０２と、プログラム等を記憶するためのＲＯＭ（Ｒｅａｄ  Ｏｎｌｙ  Ｍｅｍｏｒｙ）２０４と、揮発性の記憶装置であるＲＡＭ（Ｒａｎｄｏｍ  Ａｃｃｅｓｓ  Ｍｅｍｏｒｙ）２０６と、記憶部２０８と、バス２２０とを備えている。ＲＯＭ２０４には、画像表示装置２００の動作を制御するのに必要なプログラム及びデータが記憶されている。記憶部２０８は、通電が遮断された場合にもデータを保持する不揮発性の記憶装置であり、例えば、ハードディスクドライブ、フラッシュメモリ等である。記憶部２０８は着脱可能に構成されていてもよい。
【００２９】
ＣＰＵ２０２、ＲＯＭ２０４、ＲＡＭ２０６、記憶部２０８はバス２２０に接続されている。各部間のデータ（制御情報を含む）交換は、バス２２０を介して行なわれる。ＣＰＵ２０２は、バス２２０を介してＲＯＭ２０４からプログラムをＲＡＭ２０６上に読出して、ＲＡＭ２０６の一部を作業領域としてプログラムを実行する。即ち、ＣＰＵ２０２は、ＲＯＭ２０４に格納されているプログラムにしたがって画像表示装置２００を構成する各部の制御を行ない、画像表示装置２００の各機能を実現する。
【００３０】
ＲＡＭ２０６は、画像を表示するためのビデオメモリとしての機能を備えている。即ち、ＲＡＭ２０６の一部はＶＲＡＭとして使用される。なお、ＲＡＭ２０６とは別にＶＲＡＭを備える構成であってもよい。
【００３１】
画像表示装置２００はさらに、表示部２１０、表示制御部２１２、操作部２１４、及び通信ＩＦ部２１６を備えている。ここでは、画像表示装置２００は電子黒板装置であるとして説明する。
【００３２】
表示部２１０は、画像を表示するための表示パネル（液晶パネル等）である。表示制御部２１２は、表示部２１０を駆動するための駆動部を備え、ＲＡＭ２０６に記憶された画像データを所定のタイミングで読出し、表示部２１０に画像として表示するための信号を生成して、表示部２１０に出力する。表示される画像データは、ＣＰＵ２０２が記憶部２０８から読出して、ＲＡＭ２０６に伝送する。
【００３３】
通信ＩＦ部２１６は、例えばＮＩＣ（Ｎｅｔｗｏｒｋ  Ｉｎｔｅｒｆａｃｅ  Ｃａｒｄ）であり、通信ケーブルでハブ（図示せず）等に接続され、これを介してネットワーク５１０に接続される。これによって、ネットワーク５１０に接続されたコンピュータ等との間で画像データを送受信する。通信ＩＦ部２１６を介して外部から受信した画像データは、記憶部２０８に記録される。
【００３４】
操作部２１４は、ユーザによる画像表示装置２００に対する指示等の入力を受付ける。電子黒板装置では、操作部２１４は、液晶パネル等で構成された表示部２１０の上に配置され、タッチされた位置を検出するためのＬＥＤ等を有するタッチ検出装置、及び操作キー部（何れも図示せず）を備えている。画像表示装置２００を操作するために、表示部２１０にはソフトキーが表示され、操作キー部にはハードキーが配置される。ＣＰＵ２０２は、これらのキーに対するユーザの操作を監視する。ユーザはこれらのキーにタッチして、画像表示装置２００に対して、表示内容に対する処理の指示を入力することができる。表示部２１０に表示されたソフトキーの選択は、タッチ検出装置によってタッチされた位置を検出することによって行なわれる。
【００３５】
タッチ検出装置は、例えば公知の赤外線遮断検出方式のタッチパネルである。このタッチパネルは、長方形の書込面の隣接する２辺にそれぞれ一列に配置された発光ダイオード列（以下、ＬＥＤ列と記す）と、それぞれのＬＥＤ列に対向させて一列に配置された２つのフォトダイオード列（以下、ＰＤ列と記す）とを備えている。ＬＥＤ列の各ＬＥＤから赤外線を発光し、この赤外線を対向するＰＤ列の各ＰＤが検出する。
【００３６】
ユーザがタッチペンでタッチパネル上の１点にタッチすると、タッチペンのペン先によって赤外線が遮断される。したがって、タッチされた位置座標を求めることができるタッチペンを使用せずに、指でタッチ検出装置にタッチしても、同様にタッチされた位置を検出することができる。
【００３７】
タッチされた位置の検出技術は公知であるので、これ以上の説明は繰返さない。また、タッチ検出装置には、赤外線遮断方式以外のタッチパネル（静電容量方式、表面弾性波方式、抵抗膜方式等）を用いてもよい。なお、静電容量方式では、センサに近接していれば非接触でも位置を検出することができる。
【００３８】
画像表示装置２００には、図３に示すような画面が表示される。表示部２１０の表示画面は、描画領域２５０と機能ボタン領域２４０とに区分されている。描画領域２５０は、ユーザがタッチ操作によって描画できる領域である。即ち、タッチされた点及びその移動軌跡のＸＹ座標が、上記したようにタッチ検出装置によって検出され、ＣＰＵ２０２に伝送される。ＣＰＵ２０２は、受信した座標データに応じて、ＲＡＭ２０６上の対応するメモリアドレスに所定値を書込む。ＲＡＭ２０６上の画像データの画素値を変更してもよいが、ここでは、ＲＡＭ２０６は、画像データを記憶する領域とは別に、描画データを記憶する領域（以下、オーバレイ領域とも記す）を備えているとする。この場合、例えば、オーバレイ領域の描画されていないメモリアドレスのデータを“０”として、ＣＰＵ２０２は、描画位置に対応するメモリアドレスに“１”を書込む。表示制御部２１２は、画像データと描画データ（オーバレイ領域のデータ）とをスーパーインポーズして表示部１１２に表示する。即ち、描画データがある点（例えばオーバレイ領域に“１”が記録されている画素）では描画データを表示（予め設定された色を表示）し、描画データがない点（例えばオーバレイ領域に“０”が記録されている画素）では画像データを表示する。図３においては、描画領域に表示された画像の上に、描画された図形２７０が表示されている。
【００３９】
機能ボタン領域２４０には、各々特定の機能が割当てられた機能ボタン２４２が表示される。描画領域２５０の下部には、ページ操作領域２６０が表示される。この領域には、ページ送りボタン２６２、ページ戻しボタン２６４、及びページ番号表示欄２６６が表示される。ページ送りボタン２６２は、タッチされると、表示されているページ（画像データ）を右側に送り、次のページを表示するためのボタンである。ページ戻しボタン２６４は、タッチされると、表示されているページを左側に送り、前のページを表示するためのボタンである。ページ番号表示欄２６６には、表示対象の複数のページのうち、現在表示されているページの番号が表示される。ページ操作領域２６０は、位置が固定されており、スクロール中にも移動しない。例えば、ページ操作領域２６０を表示部１１２に表示するためのデータは、描画用のオーバレイ領域とは別のオーバレイ領域に記憶しておけばよい。
【００４０】
ユーザが、ページ送りボタン２６２をタッチすると、タッチされた位置の座標データがタッチ検出装置からＣＰＵ２０２に伝送され、ＣＰＵ２０２は、受信し座標データが、ページ送りボタン２６２が表示された領域内の位置であると判定する。そして、ＣＰＵ２０２は、ＲＡＭ２０６に次のページの画像データを伝送し、表示制御部１１４に、ページ送りのコマンドを伝送する。これを受けて、表示制御部１１４は、ＲＡＭ２０６上の現在表示されているページに対応する画像データと、次ページに対応する画像データとから、ページ送りの途中の画像を表示するための信号を生成し、表示部１１２に出力する。これによって、表示部１１２に、ページ送りされている途中の画像が表示される。
【００４１】
機能ボタン２４２に割当てられる機能は、例えば、タッチ操作による描画機能、所定領域の描画を削除する消しゴム機能、記憶部２０８に保存されているファイル（画像データ）を開く機能、表示されている画像データを記憶部２０８に保存する機能、表示されている画像データを印刷する機能等である。各機能ボタン２４２は、アイコンとして表示される。このように、各機能ボタン２４２は、表示されている画像に対する画像処理の実行を指示するアイコンを含む。
【００４２】
図４を参照して、第１端末装置３００は、第１端末装置３００全体を制御するＣＰＵ３０２と、メモリ３０４と、ＲＡＭ３０６と、バス３２０とを備えている。メモリ３０４は、電気的に書換え可能な不揮発性の記憶装置であり、例えば、フラッシュメモリ等である。メモリ３０４には、第１端末装置３００の動作を制御するのに必要なプログラム及びデータが記憶されている。
【００４３】
ＣＰＵ３０２、メモリ３０４、ＲＡＭ３０６はバス３２０に接続されている。各部間のデータ（制御情報を含む）交換は、バス３２０を介して行なわれる。ＣＰＵ３０２は、バス３２０を介してメモリ３０４からプログラムをＲＡＭ３０６上に読出して、ＲＡＭ３０６の一部を作業領域としてプログラムを実行する。即ち、ＣＰＵ３０２は、メモリ３０４に格納されているプログラムにしたがって第１端末装置３００を構成する各部の制御を行ない、第１端末装置３００の各機能を実現する。
【００４４】
ＲＡＭ３０６は、画像を表示するためのビデオメモリとしての機能を備えている。即ち、ＲＡＭ３０６の一部はＶＲＡＭとして使用される。なお、ＲＡＭ３０６とは別にＶＲＡＭを備える構成であってもよい。
【００４５】
第１端末装置３００はさらに、表示部３１０、表示制御部３１２、操作部３１４、及び無線ＩＦ部３１６を備えている。ここでは、第１端末装置３００はタブレット装置であるとして説明する。
【００４６】
表示部３１０は、画像を表示するための表示パネル（液晶パネル等）である。表示制御部３１２は、表示部３１０を駆動するための駆動部を備え、ＲＡＭ３０６に記憶された画像データを所定のタイミングで読出し、表示部３１０に画像として表示するための信号を生成して、表示部３１０に出力する。表示される画像データは、ＣＰＵ３０２がメモリ３０４から読出して、ＲＡＭ３０６に伝送する。
【００４７】
無線ＩＦ部３１６は、無線ルータとの無線通信を行ない、第１端末装置３００をネットワーク５１０に接続可能にする。
【００４８】
操作部３１４は、ユーザによる第１端末装置３００に対する指示等の入力を受付ける。タブレット装置では、操作部３１４は、液晶パネル等で構成された表示部３１０の上に配置され、タッチされた位置を検出するためのタッチパネルと、及び操作キー部（何れも図示せず）を備えている。第１端末装置３００を操作するために、表示部３１０にはソフトキーが表示され、操作キー部にはハードキーが配置される。ＣＰＵ３０２は、これらのキーに対するユーザの操作を監視する。ユーザはこれらのキーにタッチして、第１端末装置３００に対して指示を入力することができる。表示パネルに表示されたソフトキーの選択は、タッチパネルによってタッチされた位置を検出することによって行なわれる。
【００４９】
タッチパネルは、例えば公知のシート状のタッチパネルである。タッチ位置の検出方法は公知であるので、ここでは説明を繰返さない。
【００５０】
このように構成されている第１端末装置３００のＣＰＵ３０２は、後述するように、ブラウザ（インターネットのＷｅｂページを表示するソフトウェアプログラム）により、画像表示装置２００が提供するＷｅｂページにアクセスし、所定データ（例えばＨＴＭＬ形式データ）を受信し、受信したデータから操作画面を生成して表示部３１０に表示する。また、ＣＰＵ３０２は、Ｗｅｂページのブラウザにより、操作部３１４が操作されたことを検出し、操作に応じた要求を画像表示装置２００に送信する。
【００５１】
図５を参照して、第２端末装置４００は、ＣＰＵ４０２、メモリ４０４、ＲＡＭ４０６、表示部４１０、表示制御部４１２、操作部４１４、無線ＩＦ部４１６、及びバス４２０を備えている。第２端末装置４００は、第１端末装置３００と同じ構成をしており、同じ機能を有する。したがって、差異のみを説明し、同じ説明を繰返さない。第２端末装置４００が第１端末装置３００と異なる点は、表示部４１０の大きさが表示部３１０よりも小さく、全体としてより小型・軽量であり携帯性に優れている点である。例えば、表示部４１０の大きさは４インチ程度であり、表示部３１０の大きさは１０インチ程度である。
【００５２】
このように構成されている第２端末装置４００のＣＰＵ４０２は、後述するように、Ｗｅｂページのブラウザにより、画像表示装置２００が提供するＷｅｂページにアクセスし、所定データ（例えばＨＴＭＬ形式データ）を受信し、受信したデータから操作画面を生成して表示部４１０に表示する。また、ＣＰＵ４０２は、Ｗｅｂページのブラウザにより、操作部４１４が操作されたことを検出し、操作に応じた要求を画像表示装置２００に送信する。
【００５３】
以下に、図６を参照して、図１の表示画像の操作システムを用いてプレゼンテーションを可能にするために画像表示装置２００において実行されるプログラムの制御構造に関して説明する。
【００５４】
以下の説明では、画像表示装置２００は会場に設置された電子黒板装置であり、本プログラムは、画像表示装置２００の機能ボタン領域２４０に配置された所定の機能ボタンがタッチされることによって実行されるとする。第１端末装置３００は約１０インチの表示画面を有するタブレット装置であり、第２端末装置４００は約４インチの表示画面を有するスマートフォンであるとする。画像表示装置２００は、Ｗｅｂページを提供するＨＴＴＰサービスを実行可能である。第１端末装置３００及び第２端末装置４００は発表者が操作可能な装置であり、電源がオンされて無線ルータ５００と通信可能になっているとする。また、無線ルータ５００は、画像表示装置の近く（例えば、プレゼンテーションを行なう部屋の内部）に配置されているとする。第１端末装置３００及び第２端末装置４００以外に、無線ルータ５００と無線通信可能な端末装置が存在してもよい。例えば聴講者が、ネットワーク５１０に接続された状態のスマートフォンを持っていてもよい。
【００５５】
ステップ６００において、ＣＰＵ２０２は、周辺にある、無線通信でネットワーク５１０に接続されている端末装置の情報を取得する。具体的には、ＣＰＵ２０２は、無線ルータ５００を介して所定のコマンドを無線でブロードキャストし、それに対する応答を、所定時間待ち受けて、無線ルータ５００を介して受信する。コマンドは、ＴＣＰ／ＩＰ等の公知のコマンドであり、送信先を指定せずに各機器から機器自体の情報を返信させるコマンドであればよい。ブロードキャストには、例えばＴＣＰ／ＩＰのブロードキャストアドレス“２５５．２５５．２５５．２５５”を使用する。取得可能な情報としては、例えば、端末装置のＩＰアドレス、ＭＡＣアドレス、装置名（ホスト名）、機種名、表示解像度等がある。例えば、端末装置のＩＰアドレスを取得できれば、そのＩＰアドレスに対して、さらに情報を送信させるコマンド（ｐｉｎｇ、ｎｓｌｏｏｋｕｐ等）を用いて、装置名（ホスト名）、機種名等の追加情報を取得してもよい。
【００５６】
ステップ６０２において、ＣＰＵ２０２は、ステップ６０２で取得した情報の中から、携帯端末装置を選択し、それらを特定できる情報を表示部２１０に表示する。ＣＰＵ２０２は、例えば図７に示すように、機種名及びＩＰアドレスをリスト表示し、その中から選択させる画面２７２を表示する。ここでは、第１端末装置３００及び第２端末装置４００が無線ルータ５００の近くにあり、電源がオンされて無線ルータ５００と通信可能になっているので、これらを特定可能な情報（機種名及びＩＰアドレス）が表示される。第１端末装置３００及び第２端末装置４００を特定する情報は、予め分かっていれば、リストから選択可能である。予め分かっていなくても、各端末装置を操作して、各端末装置の表示部に該当する情報を表示させることができる。表示された情報を見れば、リスト中から第１端末装置３００及び第２端末装置４００を特定可能である。なお、無線ルータ５００のＤＨＣＰ等の機能によって、無線通信可能な端末装置に自動的にＩＰアドレスが割当てられる場合には、同様に各端装置を操作して、各端末装置の表示部に該当する情報を表示させればよい。選択画面２７２には、例えば図７に示すように、タブレット装置とスマートフォンの２種類まで選択できる旨を表示する。例えば、リストにタッチされた場合、その行が選択されたこと示すために、その行を反転して表示する。２行までは、反転表示され、さらに３行目が選択された場合には、最初に選択され反転されている行の反転表示を元に戻す。これによって、最大２台まで選択され得る。
【００５７】
ステップ６０４において、ＣＰＵ２０２は、表示部２１０に表示した選択画面２７２から使用する端末装置の選択が完了したか否かを判定する。例えば、図７に示した決定キー２７４がタッチされ、選択されている端末装置が所定条件を満たしていれば、ＣＰＵ２０２は、使用する端末装置の選択が完了したと判定する。選択が完了したと判定された場合、制御はステップ６０６に移行する。そうでなければ、ステップ６０４が繰返される。なお、制御がステップ６０６に移行する場合、ＣＰＵ２０２は、選択画面２７２を消去する。
【００５８】
所定条件は、予め記憶部２０８に記憶されている。例えば、使用可能な端末装置の機種名と画面サイズ（インチ単位）とを対応させてテーブルとして、記憶部２０８に記憶しておく。ＣＰＵ２０２は、選択画面２７２で選択された機種名がテーブル内になければ、使用可能な端末装置が選択されていないと判定する。
【００５９】
具体的には、１台の端末装置が選択された場合、ＣＰＵ２０２は、選択画面２７２で選択された機種名がテーブル内にあれば、使用可能な端末装置が選択されたと判定する。一方、２台の端末装置が選択された場合、ＣＰＵ２０２は、選択された２台の端末装置の画面サイズをテーブルから取得し、異なる種類の画面サイズである場合にのみ、選択が完了したと判定する。そうでなければ、ＣＰＵ２０２は、選択が完了していないと判定し、例えば、画面サイズが異なる端末装置を選択すべきである旨を表示部２１０に表示する。画面サイズは、例えば、所定のしきい値以上であるか否かによって２種類に区分される。しきい値は、例えば７インチである。これは、後述するように、画面サイズの異なる２台の端末装置を使用して、画像表示装置の表示内容を容易且つ効率的なプレゼンテーションを可能にするためである。１台だけ選択された場合には、画面サイズは判定されない。第１端末装置（タブレット装置）３００及び第２端末装置（スマートフォン）４００が選択された場合、選択が完了したと判定される。
【００６０】
ステップ６０６において、ＣＰＵ２０２は、ステップ６０４で選択された端末装置のアクセスを許可する情報をＲＡＭ２０６に記憶する。例えば、選択された１つ又は２つのＩＰアドレス及び画面サイズ（インチ数）の情報を対応させて記憶する。このとき、ＣＰＵ２０２は、表示部２１０に、実行しているＨＴＴＰサービスによって所定のＷｅｂページ（後述する操作画面ページ）を提供可能な所定のＵＲＩ（Ｕｎｉｆｏｒｍ  Ｒｅｓｏｕｒｃｅ  Ｉｄｅｎｔｉｆｉｅｒ）を表示する。
【００６１】
ステップ６０８において、ＣＰＵ２０２は、ステップ６０６でアクセスを許可した端末装置からアクセスがあったか否かを判定する。具体的には、ＣＰＵ２０２は、所定のＵＲＩへのアクセス要求を受信し、その要求の中に含まれるＩＰアドレスが、ステップ６０６でＲＡＭ２０６に記憶したＩＰアドレスと一致するか否かを判定する。一致したと判定された場合、制御はステップ６１０に移行する。そうでなければ、ステップ６０８が繰返される。なお、一致した場合、ＣＰＵ２０２は、ＲＡＭ２０６に記憶したＩＰアドレスのうち、受信したＩＰアドレスに対応するフラグ（アクセス許可した端末装置からのアクセスの有無を表す情報）を“１”にセットする（初期値を“０”とする）。
【００６２】
ステップ６１０において、ＣＰＵ２０２は、アクセス要求があった端末装置がタブレット装置（第１端末装置３００）であるか否かを判定する。ここで、タブレット装置とは、例えば画面サイズが７インチ以上である端末装置を意味する。したがって、具体的には、ＣＰＵ２０２は、ＩＰアドレスに対応させてＲＡＭ２０６に記憶した画面サイズの値が“７”以上であるか否かを判定することで、タブレット装置であるか否かを判定する。タブレット装置であると判定された場合、制御はステップ６１２に移行する。そうでなければ、制御はステップ６１４に移行する。
【００６３】
ステップ６１２において、ＣＰＵ２０２は、ステップ６０４で２種類の端末装置が選択されているか否かを判定する。具体的には、ＣＰＵ２０２は、ステップ６０６でＲＡＭ２０６に記憶したＩＰアドレスが２つ存在するか否かを判定する。２種類の端末装置が選択されていると判定された場合、制御はステップ６１６に移行する。そうでなければ、制御はステップ６１８に移行する。
【００６４】
ステップ６１４おいて、ＣＰＵ２０２は、ステップ６０８でアクセスしてきた端末装置に対して第１データを送信する。第１データは、端末装置のブラウザによって表示され得る形式のデータ（例えばＨＴＭＬ形式のデータ）であり、タブレット装置の表示部（７インチ以上。典型的には約１０インチ）に適した画面を生成するためのデータである。ここで、適した画面とは、表示される画像、アイコン、及び文字等が人に視認され易く、操作され易い状態で表示されるように、それらのサイズ及び配置が決定されている画面を意味する。
【００６５】
ステップ６１６おいて、ＣＰＵ２０２は、ステップ６０８でアクセスしてきた端末装置に対して第２データを送信する。第２データは、端末装置のブラウザによって表示され得る形式のデータであり、タブレット装置の表示部に適した画面を生成するためのデータである。但し、第２データは、第１データによって生成される画面と異なる画面を生成するためのデータである。
【００６６】
一方、ステップ６１０でタブレット装置でないと判定された場合、ステップ６１８おいて、ＣＰＵ２０２は、ステップ６０８でアクセスしてきた端末装置に対して第２データを送信する。第２データは、端末装置のブラウザによって表示され得る形式のデータであり、スマートフォンの表示部（７インチ未満。典型的には約４インチ）の表示部に適した画面を生成するためのデータである。
【００６７】
第１〜第３データは何れも、画像表示装置２００の表示内容に対する操作のためのアイコン（以下、操作用アイコンという）を含む画面を生成するためのデータである。後述するように、第１データ及び第３データから生成されるそれぞれの画面に含まれる操作用アイコンは、相補的なアイコンである。即ち、第１データを基に生成されてタブレット装置（第１端末装置３００）に表示される操作用アイコンは、第３データを基に生成されてスマートフォンに表示される操作用アイコンとは異なる。一方、第２データ及び第３データから生成されるそれぞれの画面に含まれる操作用アイコンは、相補的なアイコンではない。第２データを基に生成されてタブレット装置（第１端末装置３００）に表示される操作用アイコンと、第３データを基に生成されてスマートフォンに表示される操作用アイコンとには、同じ操作用アイコンが重複している。第３データによって表示される操作用アイコンが、第２データによって表示される操作用アイコンに完全に含まれていてもよい。
【００６８】
ステップ６２０おいて、ＣＰＵ２０２は、ステップ６０６で許可した全ての端末装置へのデータ送信が完了したか否かを判定する。完了したと判定された場合、制御はステップ６２２に移行する。そうでなければ、制御はステップ６０８に戻る。ステップ６０６では２つの端末装置が許可される場合があるので、その場合には、２つの端末装置にデータ送信すれば完了したと判定される。具体的には、ＣＰＵ２０２は、ＲＡＭ２０６に記憶したフラグの値が全て“１”であれば、完了したと判定し、そうでなければ完了していないと判定する。
【００６９】
上記のステップ６０８〜ステップ６２０によって、ステップ６０６で許可した端末装置に、許可した台数に応じたデータが送信される。ステップ６０４で２台の端末装置（タブレット装置及びスマートフォン）が選択された場合、それぞれの端末装置に適した相補的な操作用アイコンが含まれる画面が生成されるデータを送信する。一方、ステップ６０４で１台の端末装置（タブレット装置又はスマートフォン）が選択された場合、その端末装置に適した操作用アイコンが含まれる画面が生成されるデータを送信する。その結果、データを受信した端末装置には、ブラウザによって受信したデータから操作用アイコンを含む操作画面が表示される。
【００７０】
例えば、タブレット装置（第１端末装置３００）のみが選択された場合、選択されたタブレット装置（第１端末装置３００）に、図８に示すように、受信した第２データを基に生成された画面が表示される。タブレット装置（第１端末装置３００）の表示部３１０の表示画面３３０は、画像領域３４０と操作領域３５０とに区分されている。画像領域３４０には、プレゼンテーション時に画像表示装置２００の表示部２１０に表示される画像と同じ画像が表示される。ユーザインターフェイスである操作領域３５０には、画像表示装置２００に対する操作用アイコン、特に画像表示装置２００の表示部２１０に表示された画像に対する操作用アイコンが表示されている。表示画像に対する操作用アイコンとして、拡大・縮小アイコン３５２、描画用ペンの色を指定するためのアイコン（以下、ペンの色指定アイコンという）３５４、左右スクロールアイコン３５６、描画された線を消すための消しゴムアイコン３５８が表示されている。表示画像に対する操作用アイコンではないが、画像表示装置２００に対する操作用アイコンとして、画像表示装置２００の表示部２１０に表示させるファイルを開くためのファイルオープンアイコン３６２が表示されている。なお、メニューアイコン３６０がタッチされた場合、図８に表示されていない他の操作用アイコンが表示される。
【００７１】
スマートフォン（第２端末装置４００）のみが選択された場合、選択されたスマートフォン（第２端末装置４００）に、図９に示すように、受信した第３データを基に生成された画面が表示される。スマートフォン（第２端末装置４００）の表示部４１０の表示画面４３０には、画像表示装置２００の表示部２１０に表示された画像に対する操作用アイコンが表示されている。具体的には、拡大・縮小アイコン４５２、左右スクロールアイコン４５６が表示されている。これらのアイコンは、ユーザインターフェイスを構成する。なお、図９のスマートフォン（第２端末装置４００）は、操作部４６０に、ハードウェアのバックキー４６２、トラックボール４６４、ホームキー４６８を備えている。これらのハードウェアは、スマートフォンの機種によっては装備されていない場合があるので、画像表示装置２００に対する操作には使用されない。
【００７２】
一方、タブレット装置（第１端末装置３００）及びスマートフォン（第２端末装置４００）が選択された場合、選択されたタブレット装置（第１端末装置３００）に、図１０に示すように、受信した第１データを基に生成された画面が表示される。選択されたスマートフォン（第２端末装置４００）には、図９と同じ画面が表示される。図１０に示したタブレット装置（第１端末装置３００）の表示部３１０の表示画面３３０は、図８と同様に、画像領域３４０と操作領域３５０とに区分されている。画像領域３４０には、プレゼンテーション時に画像表示装置２００の表示部２１０に表示される画像と同じ画像が表示される。操作領域３５０には、画像表示装置２００に対する操作用アイコン、特に画像表示装置２００の表示部２１０に表示された画像に対する操作用アイコンが表示されている。操作用アイコンとして、図８と同じアイコンであるペンの色指定アイコン３５４、消しゴムアイコン３５８、及び、ファイルオープンアイコン３６２が表示されている。図１０には、これらに加えて、各色のペンによって描画される線の幅を指定するためのアイコン３７０、消しゴムの幅を指定するためのアイコン３７２、直前に行なった操作を取消して元の状態に戻すためのアンドゥーアイコン３７４、取消した操作を再度実行するためのリドゥーアイコン３７６が表示されている。拡大・縮小アイコン３５２、及び左右スクロールアイコン３５６は表示されていない。これは、タブレット装置（第１端末装置３００）と同時に使用するスマートフォン（第２端末装置４００）には、図９に示したように、同じ操作を実行することができる操作用アイコンとして、拡大・縮小アイコン４５２、左右スクロールアイコン４５６が表示されているからである。タブレット装置（第１端末装置３００）及びスマートフォン（第２端末装置４００）が選択された場合、タブレット装置において、スマートフォンに表示される操作用アイコンと同じアイコンを表示しないことによって、タブレット装置（第１端末装置３００）の操作領域３５０を有効に使用することができ、上記したように、さらなる操作用アイコンを表示できる。
【００７３】
端末装置への所定データの送信が完了した後、ステップ６２２おいて、ＣＰＵ２０２は、画像表示装置２００に対する操作を受けたか否かを判定する。操作を受けたと判定された場合、制御はステップ６２４に移行する。そうでなければ、ステップ６２２が繰返される。
【００７４】
ステップ６２４おいて、ＣＰＵ２０２は、受けた操作が終了の指示であるか否かを判定する。終了の指示は、例えば、画像表示装置２００の電源がＯＦＦされることである。終了の指示を受けたと判定された場合、本プログラムは終了する。そうでなければ、制御はステップ６２６に移行する。
【００７５】
ステップ６２６おいて、ＣＰＵ２０２は、受けた操作に該当する処理を実行する。その後、制御はステップ６２２に戻る。
【００７６】
上記のステップ６２２〜ステップ６２６によって、発表者は選択した端末装置を操作して、プレゼンテーションを容易且つ効果的に行なうことができる。
【００７７】
例えば、発表者が、使用する端末装置としてタブレット装置（第１端末装置３００）及びスマートフォン（第２端末装置４００）を選択した場合、タブレット装置には図１０に示したような画面が表示され、発明者はファイルオープンアイコン３６２にタッチして、タブレット装置（第１端末装置３００）の表示部３１０（又は画像表示装置２００の表示部２１０）に表示されるリストから使用したいファイルを選択することができる。これによって、選択されたファイルが画像表示装置２００の記憶部２０８から読出され、画像表示装置２００の表示部２１０に表示される。複数のページ画像が含まれていれば、最初のメージが表示される。同時に、タブレット装置（第１端末装置３００）にも、図１１に示すように、画像領域３４０に、画像表示装置２００の表示部２１０に表示される画像と同じ画像が表示される。この状態で、発表者は、操作領域３５０配置された操作用アイコンにタッチすることによって、又は画像領域３４０にタッチすることによって、表示されている画像に対する操作を行なうことができる。例えば、発表者が、ペンの色指定アイコン３５４にタッチして描画する色を選択した後、タッチペン３３２を用いて、ペン先を画像領域３４０にタッチしたままドラッグすることによって、図１２に示すように図形２７０を描画することができる。これによって、図３に示すように、画像表示装置の表示部の画面にも同じ図形２７０が描画される。なお、スマートフォン（第２端末装置４００）には、図９に示したような画面が表示されるので、画像表示装置２００の表示部２１０に表示された画像の拡大・縮小、又は左右スクロールは、スマートフォンを操作して行なうことができる。
【００７８】
また、発表者がタブレット装置（第１端末装置３００）のみを選択した場合、そのタブレット装置には図８に示したような画面が表示され、発明者は上記と同様に使用したいファイルを選択して、画像表示装置２００の表示部２１０に画像を表示させる。同時に、タブレット装置には、図１３に示したように、画像領域３４０に、画像表示装置２００の表示部２１０に表示される画像と同じ画像が表示される。この状態で、発表者は、図１２と同様に描画を行なうことができる。なお、図１３では、図１２と異なり、拡大・縮小アイコン３５２、及び左右スクロールアイコン３５６も表示されているので、これらの操作を１台のタブレット装置（第１端末装置３００）で実行することができる。
【００７９】
発表者がスマートフォン（第２端末装置４００）のみを選択した場合、そのマートフォンには、図９に示したような画面が表示されるので、発表者は、画像表示装置２００の表示部２１０に表示された画像の拡大・縮小、及び左右スクロールを、スマートフォンを操作して行なうことができる。
【００８０】
以上によって、発表者がプレゼンテーションを実行する前に使用する無線通信可能な端末装置を選択し、選択した端末装置を使用して画像表示装置２００に対する操作、特に画像表示装置２００の表示部２１０に表示された画像に対する操作を行なうことができる。発表者が１台の端末装置を選択した場合には、その端末装置の表示画面のサイズに適した操作画面がその端末装置に表示される。したがって、聴講者の方を向いたまま、容易且つ効率的にプレゼンテーションを行なうことができる。
【００８１】
また、発表者が、画面サイズが異なる２台の端末装置を選択した場合には、各端末装置の画面には、操作用アイコンを相補的に含む画面（操作用アイコンが重複しない画面）が表示されるので、発表者は、より多くの操作用アイコンを使用することができ、聴講者の方を向いたまま、より容易、且つより効率的にプレゼンテーションを行なうことができる。
【００８２】
（第１の変形例）
上記では、スマートフォンには、操作用アイコンとして拡大・縮小アイコン４５２、左右スクロールアイコン４５６が表示される場合を説明したがこれに限定されない。例えば、図１４に示すように、画像表示装置２００の表示部２１０に表示されている画像の一部を拡大する操作（以下、パン操作という）が可能であってもよい。図１４では、表示画面４３０は、画像領域４４０と操作領域４５０に区分されている。ユーザインターフェイスである操作領域４５０には、拡大・縮小アイコン４５２、左右スクロールアイコン４５６が表示されている。画像領域４４０には、プレゼンテーション時に画像表示装置２００の表示部２１０に表示される画像と同じ画像が表示される。画像領域４４０上ではパン領域４４４を指定することができる。パン領域４４４の指定方法は、例えば、画像領域４４０上の２点にタッチして行なうことができる。タッチされた２点を左上及び右下の頂点とする長方形を決定することができるので、その長方形をパン領域４４４として、画像領域４４０に描画すればよい。パン領域４４４が決定されると、画像表示装置２００の表示部２１０には、パン領域４４４に対応する部分の画像が拡大表示される。２台の端末装置が選択されていれば、図１５に示すようにタブレット装置にも、対応する拡大画像が表示されるようにすることが好ましい。このようにタブレット装置において画像を拡大表示すれば、発表者は、タブレット装置に表示された画像上での描画（文字の書込み等）を、全画面表示されている場合よりも容易に行なうことができる。なお、画像表示装置２００の表示画像を拡大せずに、タブレット装置の表示画像のみを拡大表示してもよい。
【００８３】
（第２の変形例）
また、プレゼンテーションの状況を考えれば、適宜、原稿をスキャンして画像表示装置２００の表示部２１０に表示する、又は、表示している画面をプリントできることが好ましい。そのためには、例えば、図１６に示すように、印刷及び原稿の読込（以下、スキャンともいう）が可能な複合機である画像形成装置５２０をネットワーク５１０に接続した構成にすればよい。この場合、スマートフォン（第２端末装置４００）には、画像表示装置２００から所定のデータを送信して、図１７に示すようなアイコンを表示する。図１７のアイコンの表示は、例えば、図９又は図１４に示した画面の一部に、所定のアイコンを表示し、それがタッチされた場合に、スマートフォン（第２端末装置４００）が所定のコマンドを画像表示装置２００に送信し、それに応答して画像表示装置２００からスマートフォン（第２端末装置４００）に、所定のデータを送信することで実現できる。スマートフォン（第２端末装置４００）は、受信したデータから、図１７の画面を生成する。
【００８４】
プリントアイコン４７０は、画像形成装置５２０に印刷を実行させるためのアイコンである。プリントアイコン４７０がタッチされた場合、プリント指示が、スマートフォン（第２端末装置４００）から無線ルータ５００を介して、画像表示装置２００に送信される。指示を受信した画像表示装置２００は、印刷用の画像データを生成して、画像形成装置５２０に印刷ジョブとして送信する（画像表示装置２００は、画像形成装置５２０のＩＰアドレスの情報を持っているとする）。これによって、例えば、画像表示装置２００の表示部２１０に現在表示されている画面（描画情報を含む）のデータが、画像表示装置２００から画像形成装置５２０に送信され、画像形成装置５２０によってプリントされる。これによって、プレゼンテーション時に描画された情報を印刷し、複数コピーして、聴講者に配布することができる。
【００８５】
スキャンアイコン４７２は、画像形成装置５２０にセットされた原稿をスキャンするためのアイコンである。スキャンアイコン４７２がタッチされた場合、スキャン指示が、スマートフォン（第２端末装置４００）から無線ルータ５００を介して、画像表示装置２００に送信される。指示を受信した画像表示装置２００は、画像形成装置５２０にスキャンの指示を送信する。これを受信した画像形成装置５２０は、原稿をスキャンして、生成した画像データを画像表示装置２００に送信する。画像表示装置２００は、受信した画像データを表示部２１０に表示する。これによって、プレゼンテーション時に、適宜新たな情報を表示して議論することが可能になる。なお、スマートフォン（第２端末装置４００）が、画像形成装置５２０のＩＰアドレス情報を持っていれば、スマートフォン（第２端末装置４００）から直接画像形成装置５２０にスキャン指示を送信してもよい。その場合にも、生成された画像データは画像表示装置２００に送信される。
【００８６】
データ取込アイコン４７４は、スマートフォン（第２端末装置４００）のカメラで撮像した画像データ等の、メモリ４０４に記憶された画像データを画像表示装置２００に送信するためのアイコンである。データ取込アイコン４７４がタッチされた場合、例えば、メモリ４０４に記憶されている画像データのリストが表示部４１０に表示される。表示された中からタッチ操作によってファイルが選択されると、そのファイルが、画像表示装置２００に送信される（例えば、ＦＴＰ送信される）。画像表示装置２００は、受信したデータを記憶部２０８に記憶し、適宜表示部２１０に表示する。
【００８７】
（第３の変形例）
上記では、スマートフォン（第２端末装置４００）が選択された場合、単独で選択されたかタブレット装置（第１端末装置３００）と共に選択されたかに依らず、ステップ６１８において、画像表示装置２００からスマートフォン（第２端末装置４００）には、同じ画面を生成するための第３データを送信する場合を説明したが、これに限定されない。例えば、図１８に示すように、スマートフォン（第２端末装置４００）が単独で選択されたかタブレット装置（第１端末装置３００）と共に選択されたかに応じて、スマートフォン（第２端末装置４００）に異なるデータが送信されてもよい。図１８において、図６と同じ番号が付与されたステップの処理は上記で説明した通りであるので、重複説明を繰返さない。
【００８８】
図１８が図１６と異なる点は、ステップ７００及びステップ７０２を含む点である。ステップ６１０において、アクセス要求があった端末装置がタブレット装置（第１端末装置３００）でないと判定された場合、ステップ７００において、ＣＰＵ２０２は、ステップ６０４で２種類の端末装置が選択されているか否かを判定する。具体的には、ＣＰＵ２０２は、ステップ６０６でＲＡＭ２０６に記憶したＩＰアドレスが２つ存在するか否かを判定する。２種類の端末装置が選択されていると判定された場合、制御はステップ６１８に移行する。そうでなければ、制御はステップ７０２に移行する。
【００８９】
ステップ７０２おいて、ＣＰＵ２０２は、ステップ６０８でアクセスしてきた端末装置に対して第４データを送信する。第４データは、端末装置のブラウザによって表示され得る形式のデータであり、スマートフォンの表示部に適した画面を生成するためのデータである。
【００９０】
第４データは、第３データによって生成される画面と異なる画面を生成するためのデータである。即ち、スマートフォンが選択された場合、タブレット装置と共に選択されたか否かによって、スマートフォンに異なる操作画面が表示される。例えば、スマートフォンが単独で選択された場合、図１４に示したパン操作が可能な画面が表示され、タブレットと共に選択された場合、図９に示した操作画面が表示されるようにすることができる。例えば、スマートフォンがタブレット装置と共に選択され、スマートフォンの操作画面が図９のようになる場合には、パン操作は、タブレット装置に表示された画面上で実行可能にすればよい。
【００９１】
（第４の変形例）
プレゼンテーション会場が広い場合、発表者がマイクを使用することが多い。スマートフォン等の携帯端末装置は音声通話機能を有するので、この機能を使用できれば便利である。
【００９２】
例えば、図６のステップ６０２において選択された第２端末装置４００が、画像表示装置２００にアクセスした場合、ステップ６１８において、ＣＰＵ２０２は、第３データを送信する前に、第２端末装置４００から、音声通信機能を有するか否かを表す情報を取得する。第２端末装置４００が音声通信機能を有していれば、ＣＰＵ２０２は、第３データとして、図１９に示すような、ユーザインターフェイスを構成するアイコンが表示されるデータを第２端末装置４００に送信する。この第３データは第２端末装置４００のブラウザによって処理されて、図１９のような画面が表示される。第２端末装置４００が音声通信機能を有していなければ、ＣＰＵ２０２は、第３データとして、例えば図９に示したようなアイコンが表示されるデータを第２端末装置４００に送信する。
【００９３】
図１９の表示画面４３０には、図９と同じアイコンに加えて、マイクアイコン４７６及び音量調節アイコン４７８が表示されている。マイクアイコン４７６がタッチされた場合、ＣＰＵ４０２は、所定のプログラムを起動する。このプログラムによって、マイク４８０から入力されるアナログ音声がサンプリングされてデジタルデータが生成され、所定の音響処理（圧縮処理、パケット処理等）が施されて通信用音声データが生成される。通信用音声データは、無線ＩＦ部４１６から、無線ルータ５００及びネットワーク５１０を介して、画像表示装置２００に送信される。画像表示装置２００のＣＰＵ２０２は、受信した通信用音声データに所定の音響処理（パケット結合処理、伸長処理等）を行ない、アナログ音声を生成し、画像表示装置２００に装備されたスピーカ、又は会場に設置されたスピーカから出力する。
【００９４】
音量調節アイコン４７８は、中央のバーを上下にスライドさせることができ、これによって音量を表すデータが変更され、通信用音声データの信号レベルが変更され、スピーカから出力される音量が変更される。アナログ音声からデジタルデータを生成し、ネットワークを介して伝送し、アナログ信号に復元して音声として再生するには、公知技術を使用すればよい。
【００９５】
端末装置が音声通話機能を有するか否かの情報は、画像表示装置２００の記憶部２０８に記憶されていてもよい。例えば、使用可能な端末装置の機種名に対応させて、音声通話機能を有するか否かを表す情報（フラグ）を記憶しておく。例えば、音声通話機能を有する機種名のフラグを“１”にセットし、音声通話機能を有さない機種名のフラグを“０”セットにする。この場合、図６のステップ６１８において、ＣＰＵ２０２は、記憶部２０８に記憶されている、アクセスしてきた第２端末装置４００の機種名に対応するフラグが“１”（音声機能を有する）であるか否かを、第３データを送信する前に判定する。フラグが“１”であれば、ＣＰＵ２０２は、第３データとして、図１９に示すようなアイコンが表示されるデータを第２端末装置４００に送信する。フラグが“０”であれば、ＣＰＵ２０２は、第３データとして、例えば図９に示したようなアイコンが表示されるデータを第２端末装置４００に送信する。
【００９６】
このように、携帯端末装置の音声通話機能を利用することによって、別途マイクを用意する必要がなく、１台の携帯端末装置で、マイクの代替機能及び画像表示装置２００の操作機能を実現できるので、発表者は効率的にプレゼンテーションを行なうことができる。
【００９７】
（第５の変形例）
さらに、プレゼンテーションにおいて、音声によって画像表示装置２００を操作する、又は、音声入力した内容を画像表示装置２００に表示できれば、便利である。この場合にも、第４の変形例と同様に、端末装置の音声通話機能を利用する。第４の変形例と同様に、端末装置が音声通話機能を有するか否かを判定する。画像表示装置２００にアクセスした第２端末装置４００が音声通信機能を有していれば、ＣＰＵ２０２は、第３データとして、図２０に示すような、ユーザインターフェイスを構成するアイコンが表示されるデータを第２端末装置４００に送信する。第２端末装置４００が音声通信機能を有していなければ、ＣＰＵ２０２は、第３データとして、例えば図９に示したようなアイコンが表示されるデータを第２端末装置４００に送信する。
【００９８】
図２０の表示画面４３０には、図１９と同じアイコンに加えて、音声認識アイコン４８２が表示されている。音声認識アイコン４８２がタッチされた場合、ＣＰＵ４０２は、所定のプログラムを起動する。このプログラムによって、第４の変形例と同様に、マイク４８０から入力されたアナログ音声から生成された通信用音声データが、画像表示装置２００に送信される。このとき、第４の変形例と異なり、ＣＰＵ４０２は、送信する通信用音声データが、音声として再生されるべきデータではなく、音声認識されるべきデータであることを表す情報（以下、音声認識指令という）を、画像表示装置２００に送信する。
【００９９】
画像表示装置２００のＣＰＵ２０２は、受信した通信用音声データに所定の音響処理（パケット結合処理、伸長処理等）を行ない、デジタル音声データを生成する。ＣＰＵ２０２は、音声認識指令を受信しているので、このデジタル音声データを音声認識し、テキストデータを生成する。生成されるテキストデータは、音声データの内容に対応する文字コード（ＪＩＳコード、シフトＪＩＳコード等）列である。音声認識には、公知技術を使用すればよい。
【０１００】
生成された文字コード列は、画像表示装置２００の操作のため、又は画像表示装置２００の表示部２１０に表示するために使用される。生成された文字コード列を用いて画像表示装置２００を操作する場合、ＣＰＵ２０２は、生成された文字コード列を、予め記憶部２０８に記憶されている、画像表示装置２００の各操作に対応する文字コード列と比較し、一致する文字コード列があれば、それに対応する操作を実行する。一致する文字コード列がなければ、エラーを画像表示装置２００の表示部２１０に表示する。実行される操作（予め記憶部２０８に記憶されている操作）は、画像表示装置２００自体の操作に限らず、表示部２１０に表示されている画像に対する操作であってもよい。
【０１０１】
生成された文字コード列を画像表示装置２００に表示する場合、ＣＰＵ２０２は、生成された文字コード列から画像データを生成し、表示部２１０に表示する。例えば、図２１に示すように、発表者によって第２端末装置４００のマイク４８０から入力された音声の内容に対応する文字列が、音声認識結果表示領域２８０に表示される。
【０１０２】
画像表示装置２００が、音声による操作機能、及び音声の文字表示機能を有する場合には、生成された文字コード列をどのように使用するかを、ＣＰＵ２０２が判定するための情報は、第２端末装置４００が、音声データを送信する前に送信すればよい。この情報は、例えば、第２端末装置４００で音声認識アイコン４８２がタッチされたときに、ＣＰＵ４０２が表示画面４３０に選択画面を表示し、発表者が選択することで決定される。
【０１０３】
音声認識処理は第２端末装置４００において実行されてもよい。その場合、第２端末装置４００からは、音声データの代わりに音声認識結果の文字コード列が、画像表示装置２００に送信される。
【０１０４】
このように、携帯端末装置に入力した音声で画像表示装置２００を操作することによって、発表者は効率的にプレゼンテーションを行なうことができる。また、携帯端末装置に入力した音声の内容を文字として画像表示装置２００に表示することによって、発表者は効果的なプレゼンテーションを行なうことができる。
【０１０５】
上記では、画像表示装置２００から第１端末装置３００及び第２端末装置４００に送信されるデータ（第１〜第３データ）が、操作用アイコン（画像データ）を含む画面を生成するためのデータである場合を説明したが、これに限定されない。操作用アイコンを代替するテキストが表示される画面を生成するためのデータであってもよい。画像表示装置２００から第１端末装置３００及び第２端末装置４００に送信されるデータが、例えば、ＨＴＭＬ形式のデータである場合、その中に適切なタグを含ませることで、アイコンを使用しなくても、テキストが表示される領域を操作ボタンのように表示することができる。例えば、表を表示するタグ＜ｔａｂｌｅ＞を用い、枠の影の太さ、枠線の太さ、セルの背景色等を適切に指定すればよい。
【０１０６】
上記では、画像表示装置２００の通信ＩＦ部２１６が、通信ケーブルによってネットワーク５１０に接続可能な通信装置である場合を説明したが、これに限定されない。通信ＩＦ部２１６が、第１端末装置３００の無線ＩＦ部３１６及び第２端末装置４００の無線ＩＦ部４１６等と同様の装置であってもよい。その場合、画像表示装置２００は無線通信によって、例えば無線ルータ５００を介してネットワーク５１０にアクセスすることができる。また、画像表示装置２００は、無線ルータ５００の機能を備え、無線端末装置と直接通信できるように構成されていてもよい。
【０１０７】
また、上記では画像表示装置２００が使用可能な端末装置をブロードキャストによって検索する場合を説明したが、これに限定されない。例えば、画像表示装置２００が提供する非公開のＵＲＩに、端末装置のブラウザを用いてアクセスし、画像表示装置２００から端末装置に送信されるデータを基にして作成された画面上で、使用する端末装置を登録するようにしてもよい。表示される登録画面では、少なくとも機種名を入力すればよい（ＩＰアドレスはＵＲＩにアクセスした時点で画像表示装置２００が取得済み）が、端末装置の表示仕様（画面サイズ、解像度、表示色数等）を入力してもよい。登録された後は、図６のステップ６１０以降と同様の処理を実行すればよい。
【０１０８】
上記では、タブレット装置とスマートフォンとを使用する場合、スマートフォンでパン操作を可能とし、パン操作が実行された結果をタブレット装置に表示する（当然、画像表示装置にも表示される）場合を説明したが、これに限定されない。即ち、スマートフォンで指示した操作の結果を、タブレット装置に表示する操作は、パン操作以外の操作であってもよい。
【０１０９】
上記では、７インチ以上であるか否かによって、タブレット装置かスマートフォンかを判定し、異なる操作画面を表示させる場合を説明したが、これに限定されない。判定の基準値は、７インチと異なる値であってもよい。
【０１１０】
また、上記では、１台又は画面サイズの異なる２種類の端末装置を使用する場合を説明したが、これに限定されない。３種類以上の画面サイズの端末装置を使用可能にしてもよい。３種類以上の端末装置を使用する場合にも、各端末装置には、相補的に操作用アイコンを表示することが好ましい。これによって、発表者は、複数の端末装置の携帯性の違いを考慮して、長時間移動しながら説明する場合、短時間移動しながら説明する場合、着座して説明する場合等、状況に応じて、適宜端末装置を選択して効率的にプレゼンテーションを行なうことができる。
【０１１１】
また、上記では端末装置の表示部の画面サイズに応じて、画像表示装置２００から異なるデータを送信する場合を説明したが、これに限定されない。例えば、端末装置の表示仕様に応じた画面表示用のデータを送信してもよい。表示仕様には、例えば、表示解像度（１２８０×８００画素、１０２４×７６８画素、９６０×６４０画素、又は８００×４８０画素等）、表示色（カラー又はモノクロ）、表示色数（１６７７万色、又は２６万色等）等がある。これらの情報も、機種名に対応させて記憶部２０８に予め記憶しておけば、端末装置から取得した機種名から該当する解像度、表示色数を決定することができる。
【０１１２】
上記では、画像表示装置２００が電子黒板装置である場合を説明したが、これに限定されない。画像表示装置２００は、プロジェクタ装置、複数のディスプレイを配列して大画面を形成したマルチディスプレイ装置であってもよい。
【０１１３】
以上、実施の形態を説明することにより本発明を説明したが、上記した実施の形態は例示であって、本発明は上記した実施の形態に限定されるものではなく、種々変更して実施することができる。
【符号の説明】
【０１１４】
１００    表示画像の操作システム
２００    画像表示装置
２０２    ＣＰＵ
２０４    ＲＯＭ
２０６    ＲＡＭ
２０８    記憶部
２１０    表示部
２１２    表示制御部
２１４    操作部
２１６    通信ＩＦ部
２２０    バス
３００    第１端末装置
４００    第２端末装置
５００    無線ルータ
５１０    ネットワーク
５２０    画像形成装置
【図１】
2013134387.tif 000003
【図２】
2013134387.tif 000004
【図３】
2013134387.tif 000005
【図４】
2013134387.tif 000006
【図５】
2013134387.tif 000007
【図６】
2013134387.tif 000008
【図７】
2013134387.tif 000009
【図８】
2013134387.tif 000010
【図９】
2013134387.tif 000011
【図１０】
2013134387.tif 000012
【図１１】
2013134387.tif 000013
【図１２】
2013134387.tif 000014
【図１３】
2013134387.tif 000015
【図１４】
2013134387.tif 000016
【図１５】
2013134387.tif 000017
【図１６】
2013134387.tif 000018
【図１７】
2013134387.tif 000019
【図１８】
2013134387.tif 000020
【図１９】
2013134387.tif 000021
【図２０】
2013134387.tif 000022
【図２１】
2013134387.tif 000023